(57)【要約】【課題】陰極ドライバに近い／遠いに起因する輝度変化を低減させることができる有機ＥＬ表示装置の駆動装置を提供する。【解決手段】プリチャージ電圧生成回路５７は、最も走査ドライバに近いデータ電極ＳＥＧ１に印加されるプリチャージ電圧ＶＰ１を生成するＶＰ１生成回路５７１と、最も走査ドライバから遠いデータ電極ＳＥＧｎに印加されるプリチャージ電圧ＶＰｎを生成するＶＰｎ生成回路５７ｎとを含む。プリチャージ電圧ＶＰ２〜ＶＰｎ−１は、走査ドライバからの距離に比例した値になるように抵抗分割によって作成される。ＶＰ１生成回路５７１およびＶＰｎ生成回路５７ｎは、１ラインの点灯画素数をカウントするカウンタ回路５６からカウント値が入力されると、カウント値に応じたプリチャージ電圧ＶＰ１，ＶＰｎを出力する。【選択図】図４
2008058398.tif 000002
【特許請求の範囲】
【請求項１】
複数の陽極配線と複数の陰極配線とが交差するように配置され、その交差部分のそれぞれが有機ＥＬ素子を有する画素とされた有機ＥＬ表示装置を陽極ドライバおよび陰極ドライバで駆動し、選択期間における初期の所定期間または選択期間に先立つ所定期間に少なくとも点灯画素に接続された陽極配線にプリチャージ電圧を印加する有機ＥＬ表示装置の駆動装置において、
陽極配線の位置が陰極ドライバから遠ざかるに従って電圧値が高くなるプリチャージ電圧であって点灯画素数に応じたプリチャージ電圧を、複数の陽極配線のそれぞれに応じて生成するプリチャージ電圧生成手段と、
プリチャージ電圧生成手段が生成した複数のプリチャージ電圧のそれぞれを、対応する陽極配線に印加するプリチャージ電圧印加手段とを備えた
ことを特徴とする有機ＥＬ表示装置の駆動装置。
【請求項２】
プリチャージ電圧生成手段は、１ラインの点灯画素数をカウントするカウンタ回路と、カウンタ回路のカウント値に応じたプリチャージ電圧を生成するプリチャージ電圧生成回路とを含む
請求項１記載の有機ＥＬ表示装置の駆動装置。
【請求項３】
プリチャージ電圧生成回路は、陰極ドライバに最も近く位置する第１陽極配線に印加されるプリチャージ電圧を生成する第１プリチャージ電圧生成回路と、陰極ドライバから最も遠くに位置する第２陽極配線に印加されるプリチャージ電圧を生成する第２プリチャージ電圧生成回路と、第１プリチャージ電圧生成回路が生成したプリチャージ電圧と第２プリチャージ電圧生成回路が生成したプリチャージ電圧とを分圧して、第１陽極配線と第２陽極配線との間に位置する各陽極配線に印加されるプリチャージ電圧を生成する抵抗回路とを含む
請求項２記載の有機ＥＬ表示装置の駆動装置。
【発明の詳細な説明】
【技術分野】
【０００１】
本発明は、有機ＥＬ表示装置の駆動装置に関し、特に、プリチャージ駆動を行う駆動装置に関する。
【背景技術】
【０００２】
発光素子として有機エレクトロルミネッセンス発光素子（以下、有機ＥＬ素子という。）を使用する有機ＥＬ表示装置では、陽極に接続されるかまたは陽極そのものを形成する複数の陽極配線が配置され、それに直交する方向に、陰極に接続されるかまたは陰極そのものを形成する複数の陰極配線が配置される。陰極配線と陽極配線の交点が画素になり、両電極間に有機薄膜が挟持される。このように、基板上に有機ＥＬ素子によって構成された画素がマトリックス状に平面配置される。
【０００３】
有機ＥＬ素子の有機薄膜に定電圧を印加して発光させる場合、その発光輝度は温度変化や経時変化等により大きく変動する。しかし、定電流を流して発光させる場合には、発光輝度の変動は小さい。そこで、有機ＥＬ素子によって表示を行う有機ＥＬ表示装置では、一般に、駆動装置に定電流回路が設けられ、各有機ＥＬ素子に定電流が供給される。
【０００４】
有機ＥＬ素子は容量性の素子であり、その等価回路は、発光部としてのダイオードと容量成分（寄生容量）とが並列接続されたものとして表現される。すると、発光部がマトリクス状に配列されたマトリクスディスプレイを駆動する方法として一般に用いられている単純マトリクス駆動法を使用すると、選択期間における初期の期間では有機ＥＬ素子に供給される電流が寄生容量を充電するために使用される。その結果、選択期間における初期の期間では発光部としてのダイオードに流れる電流は少なく、発光が不十分になるという問題がある。
【０００５】
そのような問題を解消するために、選択期間における初期の期間において、または選択期間が開始される前に所定の期間を設け、その期間（プリチャージ期間）において陽極ドライバ（陽極駆動回路）から全ての陽極に定電圧を印加する駆動法が用いられることがある（例えば、特許文献１参照。）。以下、このような駆動法をプリチャージ駆動と呼ぶ。また、プリチャージ期間において有機ＥＬ素子に印加される電圧をプリチャージ電圧と呼ぶことにする。
【０００６】
なお、選択期間における初期の期間においてプリチャージ期間を設けて定電圧を印加することと、選択期間が開始される前の所定の期間をプリチャージ期間として定電圧を印加することとは、選択期間の定義の仕方が異なるだけで、実質的に同じである。すなわち、定電圧を印加する期間を、選択期間内と捉えるのか、選択期間外と捉えるのかの違いである。以下、特に断らない限り、プリチャージ期間は選択期間における初期の期間であるとして説明を進める。
【０００７】
【特許文献１】特開平１１−１４３４２９号公報（段落００３２−００３３、図１）
【発明の開示】
【発明が解決しようとする課題】
【０００８】
単純マトリックス駆動法で有機ＥＬ表示装置の表示を行う方法について説明する。以下、陰極配線を選択電圧が印加される走査配線、陽極配線をデータに応じて駆動されるデータ配線とする。定電圧回路が備えられた走査ドライバに走査配線を接続する。走査配線に対して定電圧性の駆動を行う。そして、走査配線のうちの１本を選択電圧が印加されている選択状態、残りを選択電圧が印加されていない非選択状態として、走査配線を順次走査する。一般的に、走査配線の一方の端から他方の端に対して選択期間毎に１つの走査配線を順次に選択電圧を印加する走査を行い、一定の期間の間にすべての走査配線を走査し、所定の駆動電圧を印加する。なお、表示画面を人間が見るときの上下左右にかかわらず、走査配線に対して平行に配列した方向の画素の並びを「行（またはライン）」とも呼ぶことにする。
【０００９】
データ配線（以下、データ電極という。）は、出力段に定電流回路を備えたデータドライバに接続される。そして、選択した走査配線（以下、走査電極という。）の表示パターンに対応する表示データを、走査に同期してすべてのデータ電極に供給する。定電流回路からデータ電極に供給された電流パルスは、選択した走査電極とデータ電極との交点に位置する有機ＥＬ素子を通して、選択されている走査電極に流れる。
【００１０】
図６は、一般的なデータドライバの一部を有機ＥＬパネルの一部とともに示す回路図である。図６では、各画素がダイオードで示されている。各走査電極には、選択電圧としての接地電位ＶＳＳまたは非選択電圧としてのＶＣＯＭＨが印加される。各データ電極に対応して設けられている定電流回路１２ｉ（ｉ＝１〜ｎ：正の整数（データ電極数））は定電流を出力する。定電流回路１２ｉとデータ電極との間には、スイッチ３８ｉ（ｉ＝１〜ｎ）が設けられている。
【００１１】
コントローラから出力されるラッチパルス（ＬＰ）がオン状態になってから、コントローラから所定数のクロックパルス（ＣＰ）が入力されるまでの間、点灯画素（選択期間においてオンする画素）に接続されたデータ電極にプリチャージ電圧ＶＰＲＥが印加されるようにスイッチ３８ｉが制御される。所定数のＣＰが入力されるまでの間がプリチャージ期間に相当する。所定数は、有機ＥＬパネルの特性などに応じて決定される。プリチャージ期間が終了すると、表示データ（Ｄａｔａ）に応じてスイッチ３８ｉが制御される。すなわち、Ｄａｔａが点灯を示している画素に対応したデータ電極に定電流回路１２ｉの出力が接続され、Ｄａｔａが消灯を示している画素に対応したデータ電極が接地電位ＶＳＳになるように、スイッチ３８ｉが設定される。
【００１２】
図７は、一般的なデータドライバの構成例を示すブロック図である。ｎ段のシフトレジスタ５１は、ＣＰに同期してＤａｔａを取り込み、取り込んだＤａｔａを１段ずつシフトする。ラッチ回路５２は、ＬＰの入力に応じて、シフトレジスタ５１のｎ段の出力をラッチする。ドライバ回路５５は、図６に示された定電流回路１２ｉとスイッチ３８ｉとを有する。出力制御回路５３は、プリチャージ期間において、ドライバ回路５５に、点灯画素に接続されたデータ電極にプリチャージ電圧ＶＰＲＥを印加させる。また、プリチャージ期間が終了したら、ドライバ回路５５に、点灯画素に接続されたデータ電極に定電流を供給させ、非点灯画素に接続されたデータ電極を接地電位ＶＳＳにさせる。
【００１３】
プリチャージ期間においてデータ電極に印加される定電圧すなわちプリチャージ電圧ＶＰＲＥは、選択期間（プリチャージ期間を除く。）におけるデータ電極の駆動電圧（データドライバの出力電圧）と等しい値に設定されていることが好ましい。しかし、プリチャージ電圧を常に一定にしておくと、プリチャージ電圧と選択期間（プリチャージ期間を除く。）における駆動電圧とが等しくならない場合がある。
【００１４】
図６に示すように、走査電極において、画素間に抵抗成分Ｒがあり、走査ドライバ（図示せず）に最も近い画素と走査ドライバとの間の配線に抵抗成分ＲＬがあるので、選択期間（プリチャージ期間を除く。）において、走査ドライバに最も近い画素に印加される電圧は、走査ドライバから最も遠い画素に印加される電圧よりも低くなる。図６に示す選択ラインに着目すると、最も左側にある画素に印加される電圧は、最も右側にある画素に印加される電圧よりも低くなる。また、走査ドライバに最も近い画素（電流取出側の画素）と最も遠い画素（反電流取出側の画素）との中間の画素（中央付近の画素）に印加される電圧は、最も近い画素に印加される電圧と最も遠い画素に印加される電圧との中間の電圧になる。
【００１５】
図８（Ｂ）に示すようにプリチャージ電圧ＶＰＲＥが中央付近の画素に対する駆動電圧Ｖｄとほぼ等しい場合、電流取出側付近の画素に対する駆動電圧Ｖｄは、プリチャージ電圧ＶＰＲＥよりも低くなる（図８（Ａ）参照）。また、反電流取出側付近の画素に対する駆動電圧Ｖｄは、プリチャージ電圧ＶＰＲＥよりも高くなる（図８（Ｃ）参照）。反電流取出側付近の画素では、駆動電圧Ｖｄに対してプリチャージ電圧ＶＰＲＥが低い。プリチャージ電圧が不足することから、輝度が所望の輝度よりも低くなる。よって、図９（Ａ）に例示するように各画素を点灯させようとした場合、図９（Ｂ）に示すように、走査ドライバから遠い画素の輝度が低下してしまう。なお、図９において、各矩形は画素を示す。白色は点灯画素を示し、黒色は非点灯画素を示す。斜線は輝度低下を示す。また、走査ドライバが、図９（Ｂ）に例示する１６個の画素の左側に設けられているとする。
【００１６】
また、電流取出側付近の画素では、駆動電圧に対してプリチャージ電圧が高い。プリチャージ電圧が過大になることから、輝度が所望の輝度よりも高くなる可能性もある。このように、従来の有機ＥＬ表示装置の駆動装置で有機ＥＬパネルを駆動すると、輝度むらが生ずる可能性があり、その結果、クロストークが視認される可能性がでてくる。
【００１７】
そこで、本発明は、プリチャージ駆動によって寄生容量を充電する機能を有する有機ＥＬ表示装置の駆動装置において、陰極ドライバに近い／遠いに起因する輝度変化を低減させることができるようにすることを目的とする。
【課題を解決するための手段】
【００１８】
本発明による有機ＥＬ表示装置の駆動装置は、複数の陽極配線と複数の陰極配線とが交差するように配置され、その交差部分のそれぞれが有機ＥＬ素子を有する画素とされた有機ＥＬ表示装置を陽極ドライバ（例えば、データドライバ５）および陰極ドライバ（例えば、走査ドライバ６）で駆動し、選択期間における初期の所定期間または選択期間に先立つ所定期間に少なくとも点灯画素に接続された陽極配線にプリチャージ電圧を印加する有機ＥＬ表示装置の駆動装置において、陽極配線の位置が陰極ドライバから遠ざかるに従って電圧値が高くなるプリチャージ電圧であって点灯画素数に応じたプリチャージ電圧を、複数の陽極配線のそれぞれに応じて生成するプリチャージ電圧生成手段（例えば、カウンタ回路５６、プリチャージ電圧生成回路５７，および分圧用の（ｎ−１）個の抵抗ＲＰ）と、プリチャージ電圧生成手段が生成した複数のプリチャージ電圧のそれぞれを、対応する陽極配線に印加するプリチャージ電圧印加手段（例えば、スイッチ１８ｉ（ｉ＝１〜ｎ））とを備えたことを特徴とする。
【００１９】
プリチャージ電圧生成手段は、例えば、１ラインの点灯画素数をカウントするカウンタ回路と、カウンタ回路のカウント値に応じたプリチャージ電圧を生成するプリチャージ電圧生成回路（例えば、プリチャージ電圧生成回路５７，および分圧用の（ｎ−１）個の抵抗ＲＰ）とを含むように構成されている。
【００２０】
プリチャージ電圧生成回路は、例えば、陰極ドライバに最も近く位置する第１陽極配線（例えば、データ電極ＳＥＧ１）に印加されるプリチャージ電圧を生成する第１プリチャージ電圧生成回路（例えば、ＶＰ１生成回路５７１）と、陰極ドライバから最も遠くに位置する第２陽極配線（例えば、データ電極ＳＥＧｎ）に印加されるプリチャージ電圧を生成する第２プリチャージ電圧生成回路（例えば、ＶＰｎ生成回路５７ｎ）と、第１プリチャージ電圧生成回路が生成したプリチャージ電圧と第２プリチャージ電圧生成回路が生成したプリチャージ電圧とを分圧して、第１陽極配線と第２陽極配線との間に位置する各陽極配線（例えば、データ電極ＳＥＧ２〜ＳＥＧｎ−１）に印加されるプリチャージ電圧を生成する抵抗回路（例えば、分圧用の（ｎ−１）個の抵抗ＲＰ）とを含む。そのような構成によれば、駆動装置の回路構成を簡略化できる。
【発明の効果】
【００２１】
本発明によれば、陰極ドライバからの相対的距離および点灯画素数に応じた異なるプリチャージ電圧をそれぞれの陽極に印加するので、陰極ドライバに近い／遠いに起因する輝度変化を低減させることができる。
【発明を実施するための最良の形態】
【００２２】
以下、本発明の実施の形態を図面を参照して説明する。
【００２３】
本実施の形態では、陰極が走査電極であって、陽極がデータ電極であるとする。また、有機ＥＬパネル内で延伸する配線を走査電極配線およびデータ電極配線とし、走査電極配線が有機ＥＬパネルの端部において走査電極に接続され、データ電極配線が有機ＥＬパネルの端部においてデータ電極に接続されると定義されることもあるが、ここでは、有機ＥＬパネル内で延伸する配線を走査電極およびデータ電極と定義する。
【００２４】
図１は、本発明によるデータドライバの一例の一部を有機ＥＬパネルの一部とともに示す回路図である。図１では、有機ＥＬパネルにおける各画素がダイオードで示されている。各走査電極には、選択電圧としての接地電位ＶＳＳまたは非選択電圧としてのＶＣＨ（ＶＣＯＭＨ）が印加される。各データ電極に対応して設けられている定電流回路１２ｉ（ｉ＝１〜ｎ：正の整数（データ電極数））は、定電流を出力する。定電流回路１２ｉとデータ電極との間には、スイッチ１８ｉ（ｉ＝１〜ｎ）が設けられている。
【００２５】
図１に示された構成とは異なり、スイッチ１８ｉは、プリチャージ期間において、各データ電極に応じたプリチャージ電圧ＶＰｉ（ｉ＝１〜ｎ）を選択する。すなわち、プリチャージ期間において、各データ電極毎に異なる電圧が印加される。その他の構成は、図６に示された構成と同じである。
【００２６】
ＶＰｉは、ＶＰ１からＶＰｎに向かって単調増加するように定められる。すなわち、ＶＰ１＜ＶＰ２＜・・・ＶＰｎ−１＜ＶＰｎになるように設定される。また、ＶＰｉは、１ラインの点灯画素数に応じて設定されることが好ましい。点灯画素数が多いほど走査電極を流れる電流量が多くなって各画素の駆動電圧が高くなる。それに応じて、ＶＰｉの値も高くすべきだからである。
【００２７】
ＶＰ１を以下のように定めることができる。
ＶＰ１＝Ｖｏｌｅｄ＋ｋ＊ＲＬ
すなわち、ＶＰ１は、図２（Ａ）に示すように定められる。ｋは、１ラインにおける点灯画素の数である。Ｉは定電流回路１２ｉから流れる電流であり、Ｖｏｌｅｄは、画素に電流Ｉが流れるときの画素にかかる電圧である。また、ＲＬは、走査ドライバ（図示せず）に最も近い画素と走査ドライバとの間に抵抗成分である。なお、電流、電圧および抵抗成分の符号は、式中では、電流値、電圧値および抵抗値を示す。
【００２８】
また、ＶＰｎを以下のように定めることができる。
ｋ＝１のとき、ＶＰｎ＝Ｖｏｌｅｄ＋ＲＬＩ＋（ｎ−１）＊ＲＩ
ｋ＝ｎのとき、ＶＰｎ＝Ｖｏｌｅｄ＋ｎ＊ＲＬＩ＋ｎ（ｎ−１）／２＊ＲＩ
なお、Ｒは、走査電極における画素間の抵抗成分である。
ｋ＝２〜（ｎ−１）の場合には、点灯する画素の位置の組合せに応じて、最適なＶＰｎの値が変化する。そこで、本実施の形態では、図２（Ｂ）に示すように、ｋ＝１のときのＶＰｎ（ＶＰｎ（ｋ＝１））とｋ＝ｎのときのＶＰｎ（ＶＰｎ（ｋ＝ｎ））との間を等間隔に分けて、ｋ＝２〜（ｎ−１）のときのＶＰｎとする。
【００２９】
そして、上記のように、ＶＰ２〜ＶＰｎ−１は、単調増加するように、ＶＰ１とＶＰｎとの間の電圧として定められる。以上のようにプリチャージ電圧ＶＰｉ（ｉ＝１〜ｎ）を定めることによって、走査ドライバからの相対的距離および点灯画素数に応じた異なるプリチャージ電圧を、各データ電極に供給できるようになる。また、プリチャージ電圧ＶＰ１とＶＰｎとを点灯画素数ｋと走査ドライバからの相対的距離（具体的には、走査電極における抵抗成分の数）とを考慮して定め、かつ、単調増加するようにプリチャージ電圧ＶＰ１〜ＶＰｎを定めることによって、プリチャージ電圧ＶＰｉを駆動電圧Ｖｄにより近づけることができる。
【００３０】
次に、本発明による有機ＥＬ表示装置の駆動装置の構成を説明する。図３は、有機ＥＬ表示装置の駆動装置の一例を有機ＥＬパネル１０および駆動装置の外に存在するＭＰＵ（Micro Processing Unit）４０とともに示すブロック図である。図３に示す構成では、有機ＥＬ表示装置の駆動装置は、コントローラ１１、データドライバ５、走査電極ドライバ６、および電源回路１５を含む。
【００３１】
ＭＰＵ４０は、駆動装置に対して表示データを出力する。表示データは、例えばコントローラ１１に内蔵されているメモリ１１ａに格納される。有機ＥＬパネル１０は、複数の陽極配線と複数の陰極配線とで有機薄膜が挟持された構造を有する。各陽極配線と各陰極配線とは、有機薄膜を挟んで交差するように（具体的には、直交するように）配置される。各陽極配線と各陰極配線との交差部分が有機ＥＬ素子を有する画素となる。各画素において、陽極側から陰極側に電流が流れることにより、その画素の有機薄膜が発光する。
【００３２】
コントローラ１１は、所定のタイミングで、メモリ１１ａ内の表示データに応じたデータ（Ｄａｔａ）をデータドライバ５に出力する。また、コントローラ１１は、データドライバ５に対して、クロックパルス（ＣＰ）とラッチパルス（ＬＰ）をタイミング信号として出力する。データドライバ５は、ＬＰを用いて、入力された１行分のＤａｔａをラッチする。
【００３３】
そして、ラッチしたＤａｔａに応じて各定電流回路を駆動する。すなわち、データドライバ５は、それぞれのデータ電極に対応した定電流回路を有し、ＬＰの入力に応じて、ラッチしたＤａｔａに応じて、定電流回路からの定電流をデータ電極に供給したり、データ電極に接地電位Ｖｓｓを与えたりする。具体的には、点灯を示すＤａｔａに対応するデータ電極に定電流を流し、消灯を示すＤａｔａに対応するデータ電極に接地電位Ｖｓｓを与える。なお、走査電極ドライバ６がＬＰに応じて第ｍ行目（ｍは１〜最終行数のいずれか）に対して選択電圧を印加するときには、データドライバ５は、その直前の選択期間において取り込んだＤａｔａにもとづいて各定電流回路を駆動する。
【００３４】
また、コントローラ１１は、走査電極ドライバ６に対して、１フレームの開始を示すＦＬＭ（ファーストラインマーカ）および駆動する走査電極（選択行）の切替を示すＬＰをタイミング信号として出力する。
【００３５】
電源回路１５は、電源電圧ＶＳＨおよびプリチャージ電圧ＶＰＲＥを、接地電位ＶＳＳとともにデータドライバ５に供給する。また、非選択電圧ＶＣＨを、接地電位ＶＳＳとともに走査電極ドライバ６に供給する。なお、本実施の形態では、各データ電極に、プリチャージ電圧ＶＰＲＥがそのまま印加されるのではなく、プリチャージ電圧ＶＰＲＥから作成されたプリチャージ電圧ＶＰｉ（ｉ＝１〜ｎ）が印加される
【００３６】
図４は、データドライバ５の構成例を示すブロック図である。図４に示す構成において、ｎ段のシフトレジスタ５１は、ＣＰに同期してＤａｔａを取り込み、取り込んだＤａｔａを１段ずつシフトする。ラッチ回路５２は、ＬＰの入力に応じて、シフトレジスタ５１のｎ段の出力をラッチする。
【００３７】
ドライバ回路５４は、図１に示された定電流回路１２ｉとスイッチ１８ｉとを有する。出力制御回路５３は、プリチャージ期間において、ドライバ回路５４に、点灯画素に接続されたデータ電極にプリチャージ電圧ＶＰｉを印加させる。また、プリチャージ期間に続く定電流期間（点灯画素を有するデータ電極に定電流を流す期間。）において、ドライバ回路５４に、点灯画素に接続されたデータ電極に定電流を供給させ、非点灯画素に接続されたデータ電極を接地電位ＶＳＳにさせる。
【００３８】
データドライバ５には、カウンタ回路５６と、プリチャージ電圧生成回路５７とが設けられている。プリチャージ電圧生成回路５７は、プリチャージ電圧ＶＰ１を生成するＶＰ１生成回路５７１と、プリチャージ電圧ＶＰｎを生成するＶＰｎ生成回路５７ｎとを含む。ＶＰ１生成回路５７１の出力であるプリチャージ電圧ＶＰ１は、スイッチ回路１８１がプリチャージ期間において選択する端子に接続されている（図１参照）。また、ＶＰｎ生成回路５７ｎの出力であるプリチャージ電圧ＶＰｎは、スイッチ回路１８ｎがプリチャージ期間において選択する端子に接続されている（図１参照）。なお、スイッチ回路１８ｉ（ｉ＝１〜ｎ）に接続されるデータ電極をデータ電極ＳＥＧｉとする。
【００３９】
さらに、プリチャージ電圧ＶＰ１とプリチャージ電圧ＶＰｎとの間の電圧が、（ｎ−１）個の抵抗ＲＰで分圧されて、プリチャージ電圧ＶＰ２〜ＶＰｎ−１が作成される。プリチャージ電圧ＶＰ２〜ＶＰｎ−１は、スイッチ回路１８２〜１８ｎ−１がプリチャージ期間において選択する端子に接続されている（図１参照）。
【００４０】
なお、点灯画素数ｋに応じたプリチャージ電圧ＶＰ２〜ＶＰｎ−１を個々に決定するようにしてもよい。しかし、本実施の形態のように、両端のデータ電極に印加されるプリチャージ電圧、すなわち、最も走査ドライバ６に近いデータ電極ＳＥＧ１に印加されるプリチャージ電圧ＶＰ１および最も走査ドライバ６から遠いデータ電極ＳＥＧｎに印加されるプリチャージ電圧ＶＰｎのみを算出し、プリチャージ電圧ＶＰ２〜ＶＰｎ−１を、走査ドライバ６からの距離に比例した値になるように抵抗分割によって作成すれば、データドライバ５の構成を複雑にさせないようにすることができる。
【００４１】
次に、駆動装置の動作を説明する。
データドライバ５において、カウンタ回路５６にＬＰが入力されると、カウント値がリセットされる。そして、カウンタ回路５６は、ＣＰの入力に応じてＤａｔａを取り込み、Ｄａｔａが「１」（点灯に対応）である場合には、カウント値を＋１する。そして、次の（２番目の）ＬＰが入力されると、カウント値ｋをＶＰ１生成回路５７１およびＶＰｎ生成回路５７ｎに出力する。なお、カウンタ回路５６が上記のカウント動作を行っているときに、シフトレジスタ５１は、ＣＰの入力に応じてＤａｔａを取り込み、Ｄａｔａをシフトしている。
【００４２】
また、カウンタ回路５６に２番目のＬＰが入力されたときに、カウンタ回路５６がカウント値ｋをＶＰ１生成回路５７１およびＶＰｎ生成回路５７ｎに出力するとともに、カウント値がリセットされ、次のラインのＤａｔａについてあらためてカウントを開始する。また、２番目のＬＰが入力されたときに、ラッチ回路５２は、シフトレジスタ５１のｎ段の出力をラッチする。
【００４３】
ＶＰ１生成回路５７１は、カウンタ回路５６からカウント値ｋが入力されると、カウント値ｋに応じたプリチャージ電圧ＶＰ１を出力する。カウント値ｋに応じたプリチャージ電圧ＶＰ１は、図２（Ａ）に示されたような値である。また、ＶＰｎ生成回路５７ｎは、カウンタ回路５６からカウント値ｋが入力されると、カウント値ｋに応じたプリチャージ電圧ＶＰｎを出力する。カウント値ｋに応じたプリチャージ電圧ＶＰｎは、図２（Ｂ）に示されたような値である。
【００４４】
なお、ＶＰ１生成回路５７１において、図２（Ａ）に示された各値がＲＯＭにあらかじめ記憶されている。そして、ＶＰ１生成回路５７１は、カウント値ｋに応じた値をＲＯＭから読み出して、読み出した値に応じた電圧値の電圧をプリチャージ電圧ＶＰ１として出力する。また、ＶＰｎ生成回路５７ｎにおいて、図２（Ｂ）に示された各値がＲＯＭにあらかじめ記憶されている。そして、ＶＰ１生成回路５７ｎは、カウント値ｋに応じた値をＲＯＭから読み出して、読み出した値に応じた電圧値の電圧をプリチャージ電圧ＶＰｎとして出力する。なお、図２（Ａ），（Ｂ）に示された各値がＲＯＭにあらかじめ記憶されている場合には、カウンタ回路５６は、カウント値ｋをそのまま出力するのではなく、カウント値ｋをデコードし、ＲＯＭにおけるカウント値ｋに応じた値が記憶されているアドレスを示す値を出力することが好ましい。
【００４５】
また、上記のように、プリチャージ電圧生成回路５７から、プリチャージ電圧ＶＰ１およびプリチャージ電圧ＶＰｎとともに、プリチャージ電圧ＶＰ１とプリチャージ電圧ＶＰｎとの間の電圧が抵抗ＲＰで分圧されて生成されたプリチャージ電圧ＶＰ２〜ＶＰｎ−１が出力される。
【００４６】
コントローラ１１は、１フレームの開始時に、図５に示すように、ＦＬＭを走査電極ドライバ６に対して出力する。走査電極ドライバ６は、ＦＬＭが入力されると、第１行（ここではＣＯＭ１に対応）から順に、各行すなわち各走査電極ＣＯＭ１〜ＣＯＭｍ）の電位を、選択期間において選択電圧としての接地電位ＶＳＳにする。選択期間は、１つのＬＰが出力されてから、次のＬＰが出力するまでの期間に相当する。
【００４７】
データドライバ５において、ラッチ回路５２の出力は、出力制御回路５３に出力される。出力制御回路５３は、ＬＰが入力されると所定数のＣＰが入力されるまでの間（プリチャージ期間：図５参照）、点灯画素に接続されたデータ電極にプリチャージ電圧ＶＰｉが印加されるようにスイッチ１８ｉの切替状態を制御する。よって、プリチャージ期間において、点灯画素に接続されたデータ電極に、点灯画素の数ｋと走査ドライバ５からの距離（絶対的な距離ではなく、相対的に近い／遠いの意味）とに応じて、異なる値のプリチャージ電圧ＶＰｉが印加される。
【００４８】
出力制御回路５３は、プリチャージ期間が終了すると、Ｄａｔａに応じてスイッチ１８ｉを制御する。すなわち、Ｄａｔａが点灯を示している画素に対応したデータ電極ＳＥＧｉに定電流回路１２ｉの出力が接続され、Ｄａｔａが消灯を示している画素に対応したデータ電極ＳＥＧｉに接地電位ＶＳＳが印加されるように、スイッチ１８ｉを設定する。上記のように、プリチャージ電圧ＶＰｉは、各データ電極について、駆動電圧Ｖｄに近い値になるように定められている。よって、プリチャージ期間が終了して定電流期間が開始されると、各画素に、プリチャージ電圧ＶＰｉに近い値の駆動電圧Ｖｄが印加される。すなわち、図５に示すように、データ電極ＳＥＧｉ（ＳＥＧ１〜ＳＥＧｎ）には、破線で示すプリチャージ期間の終了時の前後において、ほぼ等しい電圧が印加される。
【００４９】
以上に説明したように、プリチャージ電圧生成回路５７は、点灯画素の数ｋと走査ドライバ５からデータ電極までの距離とに応じて、異なる値のプリチャージ電圧ＶＰｉを各データ電極に印加するので、プリチャージ電圧ＶＰｉを駆動電圧Ｖｄにより近づけることが可能になる。よって、有機ＥＬパネル１０の輝度が所望の輝度よりも高くなったり、有機ＥＬパネル１０の輝度が所望の輝度よりも低くなることを防止できる。その結果、輝度むらやクロストークの発生が抑えられる。
【００５０】
なお、本実施の形態では、点灯画素に接続されたデータ電極ＳＥＧｉにのみプリチャージ電圧ＶＰｉを印加するが、特許文献１に記載されているように全てのデータ電極ＳＥＧｉにプリチャージ電圧ＶＰｉを印加するようにしてもよい。
【産業上の利用可能性】
【００５１】
本発明による駆動装置を、有機ＥＬ表示装置における有機ＥＬパネルの輝度を均一にするために好適に適用することができる。
【図面の簡単な説明】
【００５２】
【図１】本発明によるデータドライバの一例の一部を有機ＥＬパネルの一部とともに示す回路図。
【図２】点灯画素の数ｋに応じたＶＰ１およびＶＰｎの値を示す説明図。
【図３】有機ＥＬ表示装置の駆動装置の一例を有機ＥＬパネルおよびＭＰＵとともに示すブロック図。
【図４】データドライバの構成例を示すブロック図。
【図５】有機ＥＬ表示装置の駆動装置の動作を説明するためのタイミング図。
【図６】一般的なデータドライバの一部を有機ＥＬパネルの一部とともに示す回路図。
【図７】一般的なデータドライバの構成例を示すブロック図。
【図８】プリチャージ電圧と駆動電圧との関係の一例を示す説明図。
【図９】点灯画素の例を示す説明図。本発明による有機ＥＬ表示装置の駆動装置の一例を示すブロック図。
【符号の説明】
【００５３】
１０  有機ＥＬパネル
１１  走査電極ドライバ
１２  データドライバ
１３  コントローラ
１５  電源回路
５１  シフトレジスタ
５２  ラッチ回路
５３  出力制御回路
５５  ドライバ回路
５６  カウンタ回路
５７  プリチャージ電圧生成回路
５７１  ＶＰ１生成回路
５７ｎ  ＶＰｎ生成回路
【図１】
2008058398.tif 000003
【図２】
2008058398.tif 000004
【図３】
2008058398.tif 000005
【図４】
2008058398.tif 000006
【図５】
2008058398.tif 000007
【図６】
2008058398.tif 000008
【図７】
2008058398.tif 000009
【図８】
2008058398.tif 000010
【図９】
2008058398.tif 000011